(57)【特許請求の範囲】
【請求項１】
計器用変成器との接続がなく家庭内の負荷に供給される電力の使用量を計測する電力量計において、前記家庭内の負荷に電力を供給するための出力端子と、その出力端子と電力量計本体内で導通している接続孔を備え電力が供給される入力端子と、その入力端子と同様の接続孔を備え、テスト時に虚負荷試験機の電圧を電圧検出部へ印加するための試験用電圧入力端子と、実使用状態において同電位となる前記入力端子及び試験用電圧入力端子の各接続孔への挿入脚部の挿入時に、入力端子と電力演算部との導通を図り電力量の計量を可能とする一方、挿入脚部の挿入解除時に、独立した入力端子と独立した試験用電圧入力端子とする結合部を備えた接続部材と、その接続部材の結合部が収納されると共に前記電力量計本体の端子ブロックに設けられた収納溝とを有し、前記収納溝は、前記接続部材の結合部と同一径で、結合部の上面と同一か、上面が隠れる深さに設定されていることを特徴とする電力量計。
【請求項２】
入力端子と試験用電圧入力端子の接続孔を、長孔形状とする一方、接続部材の挿入脚部に、前記接続孔の接続孔端縁と係止し合う係止部を設けたことを特徴とする請求項１記載の電力量計。
【請求項３】
接続部材の結合部の上面は、端子ブロックの表面と同一面状となる平坦面に形成されていることを特徴とする請求項１記載の電力量計。
【請求項４】
接続孔は、端子ブロックの裏面へ抜ける貫通孔と連通していることを特徴とする請求項１、２、３のいずれかに記載の電力量計。
【請求項５】
試験用電圧入力端子は、虚負荷試験用の電圧線取付けねじを備えていることを特徴とする請求項１又は２のいずれかに記載の電力量計。
【請求項６】
端子ブロックの表面に、接続部材を仮支持する仮支持用収納溝を備えていることを特徴とする請求項１記載の電力量計。
【発明の詳細な説明】
【０００１】
【発明の属する技術分野】
この発明は、電気使用量を計量する電力量計に関する。
【０００２】
【従来の技術】
一般に、電力供給設備からの電力は、電気使用量を計量する電力量計を介して家庭内の負荷に供給されるようになっており、その概要を図７に示す。
【０００３】
図７において、１０１は電力供給設備、１０３は機械式電力量計、１０５は家庭内の負荷をそれぞれ示している。
【０００４】
電力量計１０３は、電圧検出部１０７と電流検出部１０９が各々磁界として使用量を検出し、磁界により電力演算部１１１に相当する円盤を回転させ、使用電力に比例した回転数を得て、表示部１１３に使用累積電力量が表示されるようになっている。
【０００５】
この場合、電力供給設備１０１は、電力量計１０３内の入力端子１１５と、家庭内の負荷１０５は電力量計１０３内の出力端子１１７とそれぞれ接続しており、入力端子１１５と出力端子１１７の具体例を図８に示す。
【０００６】
図８において一点鎖線より左側の１Ｓ、２Ｓ、３Ｓが入力端子側、右側の３Ｌ、２Ｌ、１Ｌが出力端子側となっている。電圧検出部１０７は、入力端子１１５のＲ相とアースとなるＳ相間及びＴ相とＳ相間の間に印加される電圧を検出する配線となっている。
【０００７】
電流検出部１０９は、入力端子１１５のＲ相及びＴ相にそれぞれ流れる電流を検出する配線となっている。
【０００８】
入力端子１１５のＲ相とＴ相は、試験用電圧入力端子Ｒ−１、Ｔ−１が並列に配置され、各試験用電圧入力端子Ｒ−１、Ｔ−１は、入力端子１１５のＲ相とＴ相とそれぞれ取付けねじ１１９によって着脱可能な試験用電圧接続片１２１を介して接続連通している。
【０００９】
入力端子１１５のＲ相とＴ相は電流検出部１０９と、試験用電圧入力端子Ｒ−１、Ｔ−１は、電圧検出部１０７とそれぞれ接続し合う構造となっている。
【００１０】
【発明が解決しようとする課題】
試験用電圧入力端子Ｒ−１、Ｔ−１は、電力量計１０３の製造時、又は、検定時に、性能確認のための、誤差試験を実施する時に使用するものである。
【００１１】
例えば、電流の場合には、試験用電圧接続片１２１を取外して入力端子１１５のＲ相と試験用電圧入力端子Ｒ−１とを独立させ、入力端子１１５のＲ相に虚負荷試験機の電流出力回路を接続することで、試験を行なう。また、電圧の場合には、試験用電圧入力端子Ｒ−１とＳ相間に虚負荷試験機の電圧出力回路を接続することで試験を行なう。
【００１２】
試験終了後は、試験用電圧入力端子Ｒ−１と入力端子１１５のＲ相とを試験用電圧接続片１２１によって電気的に導通を図るようになっている。
【００１３】
試験完了後の試験用電圧接続片１２１は封印され、関係者以外触れることが出来ないようになっているが、治安のよくない地域では、封印が強制的に破られる恐れがある。
【００１４】
封印が破られると、試験用電圧接続片１２１を取外して導通を解除し、電力を不正使用しても、電力量計１０３が動作しないようにすることが可能となる。
【００１５】
このために、封印が破られるのを想定し、試験用電圧入力端子Ｒ−１をもたない電力量計１０３を使用している所もある。しかしながら、この方法では、虚負荷試験機が使用できず、実負荷による試験となるため、作業者に危険を強いるようになり、安全性の面において望ましくないこと、また、経済性の面においても望ましくない。
【００１６】
そこで、この発明は、封印が破られても、電力の不正使用ができないようにすると共に、虚負荷試験機による試験を可能とした電力量計を提供することを目的としている。
【００１７】
【課題を解決するための手段】
前記目的を達成するために、この発明の請求項１によれば、計器用変成器との接続がなく家庭内の負荷に供給される電力の使用量を計測する電力量計において、前記家庭内の負荷に電力を供給するための出力端子と、その出力端子と電力量計本体内で導通している接続孔を備え電力が供給される入力端子と、その入力端子と同様の接続孔を備え、テスト時に虚負荷試験機の電圧を電圧検出部へ印加するための試験用電圧入力端子と、実使用状態において同電位となる前記入力端子及び試験用電圧入力端子の各接続孔への挿入脚部の挿入時に、入力端子と電力演算部との導通を図り電力量の計量を可能とする一方、挿入脚部の挿入解除時に、独立した入力端子と独立した試験用電圧入力端子とする結合部を備えた接続部材と、その接続部材の結合部が収納されると共に前記電力量計本体の端子ブロックに設けられた収納溝とを有し、前記収納溝は、前記接続部材の結合部と同一径で、結合部の上面と同一か、上面が隠れる深さに設定されていることを特徴とする。
これにより、接続部材の挿入脚部を各接続孔に挿入することで、入力端子と電力演算部が導通し電力量の計量が行えるようになる。また、接続部材の挿入脚部の挿入を解除することで、入力端子及び試験用電圧入力端子はそれぞれ独立した端子となるため、例えば、虚負荷試験機の電圧回路を試験用電圧入力端子に、電流回路を入力端子にそれぞれ印加することで、虚負荷試験機による誤差試験を支障なく行える。
一方、試験完了後、各接続孔に挿入脚部が挿入された接続部材は、収納溝内に突出することなく、確実に収納されるため、封印を破って、取外そうとしても接続部材の取外しは困難となり、不正に電力が使用されることがなくなる。
【００２０】
また、この発明の請求項２によれば、入力端子と試験用電圧入力端子の接続孔を、長孔形状とする一方、接続部材の挿入脚部に、前記接続孔の接続孔端縁と係止し合う係止部を設ける。
【００２１】
これにより、虚負荷試験完了後に、接続部材の挿入脚部を、若干内側へ寄せるようにしながら、長孔状の接続孔内へ強制的に挿入する。
【００２２】
挿入完了と同時に、外側へ拡がり、係止部は接続孔の接続孔端縁と係止し、抜け方向の動きが拘束される結果、接続部材の取外しは困難となる。
【００２３】
また、この発明の請求項３によれば、接続部材の結合部の上面を、端子ブロックの表面と同一面状となる平坦面に形成する。
【００２４】
これにより、結合部に手をかけたり、不正手段による工具の挿入を阻止し、接続部材の取外しを確実に阻止する。
【００２５】
また、この発明の請求項４によれば、接続孔を、端子ブロックの裏面へ抜ける貫通孔と連通させる。
【００２６】
これにより、例えば、接続部材の接続完了後に、裏面側から貫通孔を介して挿入脚部の脚裏を、治具で押圧すれば、接続部材の取外しが可能となり、再組付けが行なえるようになる。
【００２７】
また、この発明の請求項５によれば、試験用電圧入力端子に、虚負荷試験用の電圧線取付けねじを備えるようにする。
【００２８】
これにより、電圧線取付けねじに、虚負荷試験機の電圧出力回路を接続することで、容易に試験を実施することができる。
【００２９】
また、この発明の請求項６によれば、端子ブロックの表面に、接続部材を仮支持する仮支持用収納溝を設ける。
【００３０】
これにより、実使用時までの仮支持が可能となり、接続部材の管理が容易となる。
【００３１】
【発明の実施の形態】
以下、図１乃至図３の図面を参照しながらこの発明の実施の形態について具体的に説明する。
【００３２】
図１において、１は電力量計３の本体に設けられた絶縁性の端子ブロックを示している。端子ブロック１は、一点鎖線を挟んで左側の１Ｓ，２Ｓ，３Ｓが入力側、右側の３Ｌ，２Ｌ，１Ｌが出力側となっている。
【００３３】
端子ブロック１の出力側には、出力端子５のＳ相を挟んで左右にそれぞれ接続端子Ｔ１，Ｒ１が設けられ、家庭内の負荷Ｆと接続している。
【００３４】
端子ブロック１の入力側には、入力端子７のＲ相及びＴ相と、Ｒ相に並列に配置された試験用電圧入力端子Ｒ−１と、Ｔ相に並列に配置された試験用電圧入力端子Ｔ−１と、アースとなるＳ相がそれぞれ設けられ、電力供給設備Ｖと接続している。入力端子７側の、Ｒは出力端子５側のＲ１と、入力端子７側のＳは、出力端子５側のＳとそれぞれ本体内で接続している。
【００３５】
入力端子７のＲとＲ−１及びＴ−１とＴは導電材でできた接続部材９により電気的に導通している。
【００３６】
即ち、入力端子７のＲ相及びＴ相と試験用電圧入力端子Ｒ−１，Ｔ−１には丸孔状の接続孔１３がそれぞれ設けられる一方、端子ブロック１には、前記入力端子７のＲ相及びＴ相の各接続孔１３と試験用電圧入力端子Ｒ−１及びＴ−１の各接続孔１３とにかかる長孔状の収納溝１５が設けられている。
【００３７】
図２に示す如く、収納溝１５の両端開口孔１７は、前記各接続孔１３と対向しており、裏面側へ抜ける貫通孔となっている。
【００３８】
接続部材９は、前記収納溝１５側から各接続孔１３内へ強制的に挿入される一対の挿入脚部１９と、その挿入脚部１９と挿入脚部１９とをつなぐ結合部２１とで構成されている。結合部２１は、収納溝１５の溝幅とほぼ同一で、上面は二点鎖線で示すように、収納溝１５内に収まる状態に設定されている。
【００３９】
この場合、接続部材９の結合部２１は、断面丸棒状の形状となっているが、接続部材９の挿入完了時に、図４に示すように、結合部２１の上面を収納溝１５と同一面となる平坦面２３の形状とすることが望ましい。
【００４０】
一方、電力量計３は端子ブロック１の外に、電圧検出部２５及び電流検出部２７と電力演算部２９と表示部３１とを有しており、その外に、接続部材９を仮支持する仮支持用収納溝３３を有している。
【００４１】
電力量計３の電圧検出部２５は、入力端子７側のＲ相とＳ相間及びＴ相とＳ相間の間に印加される電圧を検出する配線となっている。
【００４２】
また、電流検出部２７は、入力端子７のＲ相及びＴ相にそれぞれ流れる電流を検出する配線となっていて、電圧検出部２５と電流検出部２７が各々磁界として使用量を検出する。電力演算部２９は、前記磁界により円盤（図示していない）を回転させ、使用電力に比例した回転数をカウントとし、それに基づき表示部３１において、使用累積電力量が表示されるようになっている。
【００４３】
このように構成された電力量計３によれば、接続部材９は収納溝１５内に突出することなく確実に収納されるため、封印を破り、取外そうとしても取外す手がかりが全くないため、接続部材９の取外しは困難となる。
【００４４】
このため、不正に電力を使用されることがなくなる。
【００４５】
この時、入力端子７の試験用電圧入力端子Ｒ−１とＲ相は電気的に導通しているため、電力使用量を支障なく計量することが可能となる。
【００４６】
同時に、試験用電圧入力端子Ｔ−１と入力端子７のＴ相においても実施することで、単相３線式及び三相３線式の電力量計にも対応することができる。
【００４７】
また、接続部材９の収納組付け完了後において、例えば、不具合が起きた場合、図２に示すように、端子ブロック１の裏面側から貫通孔となる両端開口孔１７を介して挿入脚部１９の脚裏を治具３５で押圧すれば、接続部材９の取外しが可能となり、再組付けが行なえる。
【００４８】
一方、虚負荷試験を行なうには、電力量計３の製造時において、接続部材９を接続孔１３に圧入する前に行なうものである。この時、入力端子７の試験用電圧入力端子Ｒ−１とＲ相はそれぞれ独立しているため、Ｒ相の入力端子７に虚負荷試験機の電流出力回路を接続する。同時に、Ｒ相の試験用電圧入力端子Ｒ−１に電圧出力回路を接続することにより、電流及び電圧の虚負荷試験が安全に、しかも、経済的に行なえる。
【００４９】
この場合、入力端子７の試験用電圧入力端子Ｒ−１に電圧線取付けねじ３７を設けることで、容易に試験を実施することができる。
【００５０】
また、仮支持用収納溝３３を利用して、接続部材９を仮支持しておけば、実使用時までの接続部材７の管理が容易となる。
【００５１】
図５は、接続部材９の第２の実施形態を示したものである。
【００５２】
即ち、入力端子７の各試験用電圧入力端子Ｒ−１及びＴ−１とＲ相及びＴ相の接続孔１３を長孔形状とする一方、接続部材９の挿入脚部１９に、前記接続孔１３の接続孔端縁と係止し合う一体に屈曲成形された係止部３９を設けるようにするものである。
【００５３】
また、端子ブロック１側の両端開口孔１７を長孔形状とする。
【００５４】
なお、他の構成要素は図２と同一のため同一符号を付して詳細な説明を省略する。
【００５５】
したがって、この第２の実施形態によれば、挿入脚部１９を内側へ寄せるようにして各接続孔１３へ強制的に挿入する。挿入完了後、外側へ開くことで、係止部３９は接続孔１３の接続孔端縁と係止し合う。これにより、接続部材９の抜け方向の動きは確実に拘束され取外される恐れは全くなくなる。
【００５６】
【発明の効果】
以上、説明したように、この発明の電力量計によれば、接続部材の挿入脚部を各接続孔に挿入することで、入力端子と電力演算部が導通し電力量の計量を行なうことができる。また、接続部材の挿入脚部の挿入を解除することで、入力端子及び試験用電圧入力端子はそれぞれ独立した端子となるため、例えば、虚負荷試験機の電圧回路を試験用電圧入力端子に、電流回路を入力端子にそれぞれ印加することで、虚負荷試験機による誤差試験を支障なく行える。
また、試験完了後、各接続孔に挿入脚部が挿入された接続部材は、収納溝内に突出することなく、確実に収納されるため、封印を破って、取外そうとしても接続部材の取外しは困難となり、不正に電力が使用されることがなくなる。
【図面の簡単な説明】
【図１】この発明にかかる電力量計に端子ブロックを設けた説明図。
【図２】接続部材を端子ブロックの収納溝へ収納させる動作説明図。
【図３】電力供給設備と家庭用の負荷が接続された電力量計全体の説明図。
【図４】接続部材の上面を平坦面とした説明図。
【図５】接続部材の別の実施形態を示した説明図。
【図６】仮支持用収納溝に接続部材を仮支持した説明図。
【図７】電力仮供給設備と家庭用の負荷が接続された電力量計全体の概要説明図。
【図８】従来例を示した図１と同様の説明図。
【符号の説明】
１  端子ブロック
３  電力量計
５  出力端子
７  入力端子
９  接続部材
１３  接続孔
１５  収納溝
１９  挿入脚部
２１  結合部
Ｆ  負荷
Ｒ−１  試験用電圧入力端子
【図１】
0003866456.tif 000002
【図２】
0003866456.tif 000003
【図３】
0003866456.tif 000004
【図４】
0003866456.tif 000005
【図５】
0003866456.tif 000006
【図６】
0003866456.tif 000007
【図７】
0003866456.tif 000008
【図８】
0003866456.tif 000009